(57)【要約】【課題】  本発明は測量や家屋調査等の作業現場で、正確に現場情報を取得しながら作業時間を効率良く削減することができるとともに、必要書類を容易に作成することができる調査システムを得るにある。【解決手段】測量や家屋調査等の作業現場において、測量装置を用いて測量や家屋調査等を行う調査システムにおいて、作業現場で取得する調査対象物に関する対象物データを前記測量装置のデータ入力部に入力するステップと、入力された前記対象物データを記憶して、該対象物データを作業現場でデータベース化するステップと、データベース化された対象物データを、前記測量装置の画面上に使用者の所望する形式で加工可能に表示するステップとで調査システムを構成している。【選択図】  図１
2006113000.tif 000002
【特許請求の範囲】
【請求項１】
測量や家屋調査等の作業現場において、測量装置を用いて測量や家屋調査等を行う調査システムにおいて、作業現場で取得する調査対象物に関する対象物データを前記測量装置のデータ入力部に入力するステップと、入力された前記対象物データを記憶して、該対象物データを作業現場でデータベース化するステップと、データベース化された対象物データを、前記測量装置の画面上に使用者の所望する形式で加工可能に表示するステップとを備えたことを特徴とする調査システム。
【請求項２】
測量や家屋調査等の作業現場において、測量装置を用いて測量や家屋調査等を行う調査システムにおいて、作業現場で取得する調査対象物に関する対象物データを前記測量装置のデータ入力部に入力するステップと、入力された前記対象物データを記憶して、該対象物データを作業現場でデータベース化するステップと、データベース化された対象物データを、前記測量装置の画面上に使用者の所望する形式で加工可能に表示するステップと、データベース化された前記対象物データを前記所定の形式で出力するステップとを備えたことを特徴とする調査システム。
【請求項３】
前記測量装置には、使用者がカスタマイズすることができる、現場で取得する前記対象物データを効率良く入力することができるように、家屋データや損傷データ等に関連する項目を記憶していることを特徴とする請求項１、２のいずれかに記載の調査システム。
【請求項４】
前記対象物データは、調査対象物の状態を示す、家屋データ、損傷データ、損傷データ取得ポイントデータを含むことを特徴とする請求項１、２あるいは３のいずれかに記載の調査システム。
【請求項５】
作業現場で取得する調査対象物に関する対象物データは、測量や家屋調査等の作業現場で、調査対象物を直接調査して得られるデータであることを特徴とする請求項１、２、３あるいは４のいずれかに記載の調査システム。
【請求項６】
作業現場で取得する調査対象物に関する対象物データは、測量や家屋調査等の作業現場で、調査対象物を事前に調査して得られたデータであることを特徴とする請求項１、２、３あるいは４のいずれかに記載の調査システム。
【請求項７】
前記測量装置の画面上に使用者の所望する形式で加工可能に表示するステップでは、作業現場でデータベース化された前記対象物データを、作業現場で看板状態に表示することができることを特徴とする請求項１、２のいずれかに記載の調査システム。
【請求項８】
データベース化された前記対象物データを前記所定の形式で出力するステップでは、対象物データを使用者の所望する状態で、写真台紙や調査報告書、損傷調査書等の成果品を作成することを特徴とする請求項２に記載の調査システム。
【請求項９】
データベース化された対象物データを、通信網を介して管理されているサーバに加工可能な状態で送信するステップをさらに備えることを特徴とする請求項１、２のいずれかに記載の調査システム。
【請求項１０】
測量や家屋調査等の作業現場において、測量装置を用いて測量や家屋調査等を行う調査システムをアシストするステップの調査システムプログラムを格納したことを特徴とする請求項１ないし９のいずれかに記載の記憶媒体。
【請求項１１】
測量や家屋調査等の作業現場において、測量装置を用いて測量や家屋調査等を行う調査システムをアシストするステップの調査システムプログラムを操作するための測量装置に表示される画面イメージとともに、操作手順や説明欄を設けたことを特徴とする調査システムのマニュアル。
【請求項１２】
測量や家屋調査等の作業現場において、測量装置を用いて測量や家屋調査等を行う調査システムをアシストするステップの調査システムプログラムをサーバに格納して、第三者機関が管理、運営することを特徴とする請求項１ないし９のいずれかに記載の調査システム。
【発明の詳細な説明】
【技術分野】
【０００１】
本発明は、測量や家屋調査等の作業現場において、測量装置を用いて測量や家屋調査等を行う調査システムに関する。
【背景技術】
【０００２】
従来、測量や家屋調査等を行う調査システムでは、測量業者や家屋調査業者等が家屋データや損傷データ等の対象物データを、作業現場で専用用紙に記入し、現場の写真を撮影するとともに、作業現場で取得したデータを、会社や事務所に持ちかえり、専用ソフトや既存のアプリケーションを利用して手作業で再度入力して必要書類を作成していた。
【０００３】
したがって、従来の測量や家屋調査等を行う調査システムでは、作業現場で記入したデータを、専用ソフトや既存のアプリケーションを利用して手作業で再度入力していたので、作業現場では膨大な手作業が発生するとともに、必要書類を作成するために再度手作業でデータを入力して加工するので、入力ミスのチェックやデータ修正等に多大な労力と時間を費やしていたという欠点があった。
【特許文献１】特開２００２−２５７５４４
【発明の開示】
【発明が解決しようとする課題】
【０００４】
本発明は以上のような従来の欠点に鑑み、測量や家屋調査等の作業現場で、正確に現場情報を取得しながら作業時間を効率良く削減することができるとともに、必要書類を容易に作成することができる調査システムを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は、測量や家屋調査等の作業現場において、測量装置を用いて測量や家屋調査等を行う調査システムにおいて、作業現場で取得する調査対象物に関する対象物データを前記測量装置のデータ入力部に入力するステップと、入力された前記対象物データを記憶して、該対象物データを作業現場でデータベース化するステップと、データベース化された対象物データを、前記測量装置の画面上に使用者の所望する形式で加工可能に表示するステップとで調査システムを構成している。
【発明の効果】
【０００７】
以下の説明から明らかなように、本発明にあっては次に列挙する効果が得られる。
【０００８】
（１）測量や家屋調査等の作業現場において、測量装置を用いて測量や家屋調査等を行う調査システムにおいて、作業現場で取得する調査対象物に関する対象物データを前記測量装置のデータ入力部に入力するステップと、入力された前記対象物データを記憶して、該対象物データを作業現場でデータベース化するステップを備えているので、作業現場で現場情報を正確に取得できるとともに、情報収集方法を簡素化することができる。
【０００９】
（２）前記（１）によって、作業現場でデータを簡単に入力することができるので、作業時間を効率良く短縮することができる。
【００１０】
（３）前記（１）によって、作業現場でデータを入力することができるので、再度事務所等で入力する必要がなく、再入力時のチェックや修正等に余計な時間を掛ける必要がない。
【００１１】
（４）請求項２も前記（１）〜（３）と同様の効果が得られるとともに、データベース化された前記対象物データを前記所定の形式で出力するステップを備えているので、データ加工時の手間を効率良く省き、作業を効率化することができる。
【００１２】
（５）請求項３〜１２も前記（１）と同様の効果が得られる
【発明を実施するための最良の形態】
【００１３】
以下、図面に示す実施するための最良の形態により、本発明を詳細に説明する。
【実施例１】
【００１４】
図１ないし図１７に示す本発明を実施するための最良の第１の形態において、図１は本発明の測量や家屋調査等の作業現場において、測量装置Ｘを用いて測量や家屋調査等を行う調査システムの全体的な概念図である。図１において、Ｘは、作業現場で使用される、作業現場で取得する調査対象物に関する対象物データを入力する測量装置、２は測量や家屋調査等を行う会社や事務所に設置される事務所コンピュータ、３は前記測量装置を用いて測量や家屋調査等を行う本発明の調査システムをアシストするステップにおけるデータベースを適宜に格納するサーバ、４は前記データベースを管理、運営する第三者機関である。
なお、前記サーバ３は、情報の防衛上、あるいは管理上必要である場合に設置され、前記第三者機関４は、システム上必要に応じて適宜に設置されるものであるので、設置されていなくても、この限りではない。
【００１５】
図２は、本発明の調査システムの測量や家屋調査等を行う作業現場あるいは測量や家屋調査等を行う会社や事務所での作業手順を示すフロー図である。
【００１６】
測量や家屋調査等の作業現場において、測量装置Ｘを用いて測量や家屋調査等を行う調査システムにおいて、作業現場で調査対象物を直接調査して取得する、調査対象物の状態を示す、家屋データ、損傷データ、損傷データ取得ポイントデータ等の対象物データ５を前記測量装置Ｘのデータ入力部としての図３に示すような損傷データ入力画面６に入力装置７を介して入力するステップ８と、入力された前記対象物データ５を記憶して、該対象物データ５を作業現場でデータベース化するステップ９と、データベース化された対象物データ５を、前記測量装置Ｘの表示装置１０の画面上に使用者の所望する形式で加工可能に表示するステップ１１と、データベース化された前記対象物データ５を前記所定の形式で出力するステップ１２とを備えている。
【００１７】
前記測量装置Ｘは、従来と同様のパーソナルコンピュータ、ＰＤＡ、タブレット型コンピュータ等の入力端未機で、制御部を中心要素として、通信インターフェイス、表示装置１０、入力装置７、記録媒体１３等の各要素を有する。前記記録媒体１３には、使用者がカスタマイズすることができる、現場で取得する前記対象物データ５を効率良く入力することができるように、家屋データや損傷データ等に関連する項目１４を、使用者の所望する形式で加工可能に表示するステップ１１において表示する際、選択肢を入力ボタンとしてビジュアル化できる状態で項目データベース１５に記憶している。
前記項目データベース１５には、家屋データや損傷データ等に関連する前記項目１４（選択肢）が記憶されており、図４に示すようなユーザーカスタマイズ登録画面１６Ａを介して、使用者毎に必要な項目１４を選択して、損傷データ入力画面６に表示する項目を制御することができる。これにより、ユーザーカスタマイズ画面１６Ｂ上に不必要な前記項目１４（選択肢）を表示させず、使用者が必要な項目１４（選択肢）のみを表示させることができるために、入力ミスが減り、迷うことなく高速に入力作業を行うことができる。
【００１８】
作業現場で調査対象物を直接調査して取得する対象物データ５を前記測量装置Ｘに入力するステップ８では、図５ないし図７に示すように、調査対象物としての家屋内部および外部等の家屋データ、家屋の損傷データ、傾斜データ、水平傾斜データ、レベル測定データ、損傷データ取得ポイントデータ等の前記対象物データ５を、作業現場で前記測量装置Ｘの損傷データ入力画面６より、入力するデータに対応する前記項目１４を所定の操作により選択し、前記入力装置７を介して入力する。例えば、図５に示すようなＬ（長さ寸法）の項目１４を選択してデータを入力すると損傷データ入力画面６Ａになり、図６に示すようなＷ（幅寸法）の項目を選択してデータを入力すると損傷データ入力画面６Ｂになり、図７に示すような損傷データの項目を選択してデータを入力すると損傷データ入力画面６Ｃになる。
前記対象物データ５は、順番にあるいは順不同に、情報採取と入力を作業現場で繰り返し実施する。例えば、ある場所で傾斜測定して、傾斜データを入力する。次に、違う場所で損傷箇所を調査し入力する。これらの作業を順次行うことにより、図８に示すような損傷データ入力画面６Ｄに仕上げることができる。
【００１９】
なお、本実施例では、１台の測量装置Ｘを用いた作業を説明したが、複数人で複数台の測量装置Ｘを作業現場に持ち込み、対象物データ５を共有して、同時に情報集取作業を行うこともできる。この場合、複数台の測量装置Ｘ同士は、有線あるいは無線通信手段を用いてデータ転送し、任意の測量装置Ｘ、事務所コンピュータ２あるいはサーバ３に対象物データ５を格納することができる。
【００２０】
入力された前記対象物データ５を記憶して、該対象物データ５を作業現場でデータベース化するステップ９では、図９に示すような対象物データベース１７を測量装置Ｘの記録媒体あるいはメモリ部に作成、記録する。
【００２１】
前記測量装置Ｘの画面上に使用者の所望する形式で加工可能に表示するステップ１１では、作業現場でデータベース化された前記対象物データ５を、前記対象物データベース１７を介して作業現場で、図１０に示すような黒板、白板、ホワイトボード、電子看板等の看板、本実施例では電子看板Ｙ１を表示することができる。また、使用者の所望する形式のテンプレートが予め前記対象物データ５に関連付けられて作成されていれば、様々な形式、独自の形式あるいは所定の形式でデータを加工することができる。
【００２２】
データベース化された前記対象物データを所定の形式で出力するステップ１２では、図１１に示すように、対象物データ５を前記対象物データベース１７を介して使用者の所望する状態で、図１２に示すような対象物データ５を撮影した写真１８を貼ることができる、あるいはポケットに差し込むことができる写真台紙１９、図１３に示すような調査一覧表テンプレート２０、図１４に示すような調査報告書テンプレート２１、図１５に示すような納品書テンプレート２２、図１６に示すような請求書テンプレート２３等の成果品を作成することができる。この場合、従来と同様にプリンタを用いて出力することができるが、電子データ等で出力することもできる。
なお、本実施例では、出力される形式は、写真台紙１９、調査一覧表テンプレート２０、調査報告書テンプレート２１、納品書テンプレート２２、請求書テンプレート２３等を用いて説明したが、本発明はこれに限らず、業種、業態で定められた、あるいは任意の書式で出力することもできる。
【００２３】
以下、図１７の概略フロー図を参照して、本実施例の調査システムの手順を説明する。ここでは、測量装置Ｘを操作する際に、従来と同様の所定の操作で入力や表示される部分の詳細な説明は割愛する。
【００２４】
まず、使用者は、測量装置Ｘを作業現場に持ち込む。ここで、前述のしたように、使用者の必要な項目１４が選択された損傷データ入力画面６を表示装置１０に表示して、対象物データ５を入力装置７を介して入力する（ステップ８）。
入力された前記対象物データ５は、対象物データ５を作業現場でデータベース化する（ステップ９）。データベース化された対象物データ５は、前記測量装置Ｘの表示装置１０の画面上に使用者の所望する形式として電子看板Ｙ１を表示するとともに、使用者は看板Ｙと、この看板Ｙに表示されるデータに対応する損傷ポイントを、デジタルカメラ、スチールカメラあるいはコンピュータに設けられたカメラ等で撮影する（ステップ１１）。なお、この時、損傷調査書２９を作成する処理を行ってもよい。
【００２５】
データベース化された前記対象物データ５を、前記対象物データベース１７を介して作成し、出力された写真台紙１９に撮影された写真を貼りつける、あるいはポケットに差し込むことができるとともに、必要な対象物データ５が入力された調査一覧表テンプレート２０、調査報告書テンプレート２１、納品書テンプレート２２、請求書テンプレート２３等を自動的に作成し、出力する（ステップ１２）。
{発明を実施するための異なる形態}
【００２６】
次に、図１８ないし図２２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【実施例２】
【００２７】
図１８ないし図２０に示す本発明を実施するための第２の形態において、前記本発明を実施するための最良の第１の形態と主に異なる点は、作業現場あるいは事務所等において、手書き等で作成された看板Ｙ２を撮影した状態で、該看板Ｙ２から読み取れる調査対象物の状態を示す、家屋データ、損傷データ、損傷データ取得ポイントデータ等の対象物データ５を損傷データ入力画面６に入力装置７を介して入力するステップ８Ａを用いた点で、このように構成された調査システムにしても前記本発明を実施するための最良の第１の形態と同様な作用効果が得られる。
【００２８】
図２１に示す本発明を実施するための第３の形態において、前記本発明を実施するための最良の第１の形態と主に異なる点は、測量装置Ｘを用いて、測量や家屋調査等を行う方法を表示した調査システム用マニュアル２４を形成した点で、このように構成された調査システムにしても前記本発明を実施するための最良の第１の形態と同様な作用効果が得られるとともに、この調査システム用マニュアル２４は、図２１に示すように、調査対象物に関する対象物データ５を、測量装置Ｘ上で記憶、加工する方法を表示したもので、測量装置Ｘに表示される画面イメージとともに、操作手順２５、作業手順２６およびアイコン説明欄２７等に基づいて対象物データ５を入力することにより、対象物データベース１７を介して、出力された写真台紙１９に撮影された写真を貼りつける、あるいはポケットに差し込むことができるとともに、必要な対象物データ５が入力された調査一覧表テンプレート２０、調査報告書テンプレート２１、納品書テンプレート２２、請求書テンプレート２３を自動的に作成し、出力する測量装置Ｘを利用することができる。
【００２９】
図２２に示す本発明を実施するための第４の形態において、前記本発明を実施するための最良の第１、第２、第３の形態の形態と主に異なる点は、本発明の調査システムをアシストするプログラムや、対象物データ５を基にして出力された写真台紙１９に撮影された写真を貼りつける、あるいはポケットに差し込むことができるとともに、必要な対象物データ５が入力された調査一覧表テンプレート２０、調査報告書テンプレート２１、納品書テンプレート２２、請求書テンプレート２３等を介して、使用者の所望する書類を作成するプログラムを磁気あるいは光を利用した記憶媒体２８に格納した点で、このように構成された調査システムにしても前記本発明を実施するための最良の第１、第２、第３の形態と同様な作用効果が得られるとともに、これらのプログラムを測量装置Ｘにダウンロードして利用可能で、また、前記記憶媒体２８に格納することなく、通信網を介してダウンロードすることで利用されるものでもよい。
【００３０】
なお、前記本発明の異なる実施の形態では主に第１の実施の形態を基にして説明したが、本発明はこれに限らず、各実施の形態に使用された構成を組み合わせて使用しても同様な作用効果が得られる。
【産業上の利用可能性】
【００３１】
本発明は測量や家屋調査等で測量装置や調査システムを使用、運営、利用する産業等で利用される。
【図面の簡単な説明】
【００３２】
【図１】本発明を実施するための最良の第１の形態の概念図。
【図２】本発明を実施するための最良の第１の形態の工程図。
【図３】本発明を実施するための最良の第１の形態の損傷データ入力画面の説明図。
【図４】本発明を実施するための最良の第１の形態のユーザーカスタマイズ登録画面およびユーザーカスタマイズ画面の説明図。
【図５】本発明を実施するための最良の第１の形態の損傷データ入力画面の入力参考図。
【図６】本発明を実施するための最良の第１の形態の他の損傷データ入力画面の入力参考図。
【図７】本発明を実施するための最良の第１の形態の他の損傷データ入力画面の入力参考図。
【図８】本発明を実施するための最良の第１の形態の入力後の損傷データ入力画面の参考図。
【図９】本発明を実施するための最良の第１の形態の対象物データベースの説明図。
【図１０】本発明を実施するための最良の第１の形態の看板の説明図。
【図１１】本発明を実施するための最良の第１の形態の出力ステップの概略説明図。
【図１２】本発明を実施するための最良の第１の形態の写真台紙の参考図。
【図１３】本発明を実施するための最良の第１の形態の調査一覧表テンプレートの参考図。
【図１４】本発明を実施するための最良の第１の形態の調査報告書テンプレートの参考図。
【図１５】本発明を実施するための最良の第１の形態の納品書テンプレートの参考図。
【図１６】本発明を実施するための最良の第１の形態の請求書テンプレートの参考図。
【図１７】本発明を実施するための最良の第１の形態の概略フロー図。
【図１８】本発明を実施するための第２の形態の概念図。
【図１９】本発明を実施するための第２の形態の工程図。
【図２０】本発明を実施するための第２の形態の概略フロー図。
【図２１】本発明を実施するための第３の形態の概略図。
【図２２】本発明を実施するための第４の形態の概略図。
【符号の説明】
【００３３】
１：測量装置、                  ２：事務所コンピュータ、
３：サーバ、                    ４：第三者機関、
５：対象物データ、              ６：損傷データ入力画面、
７：入力装置、                  ８、８Ａ：入力ステップ、
９：データベース化ステップ、    １０：表示装置、
１１：表示ステップ、            １２：出力ステップ、
１３：記録媒体、                １４：関連項目、
１５：項目データベース、        １６：ユーザーカスタマイズ登録画面、
１７：対象物データベース、      １８：写真、
１９：写真台紙、                ２０：調査一覧表テンプレート、
２１：調査報告書テンプレート、  ２２：納品書テンプレート、
２３：請求書テンプレート、      ２４：調査システム用マニュアル、
２５：操作手順、                ２６：作業手順、
２７：アイコン説明欄、          ２８：記憶媒体、
２９：損傷調査書、              Ｘ：測量装置、
Ｙ１、Ｙ２：看板。
【図１】
2006113000.tif 000003
【図２】
2006113000.tif 000004
【図３】
2006113000.tif 000005
【図４】
2006113000.tif 000006
【図５】
2006113000.tif 000007
【図６】
2006113000.tif 000008
【図７】
2006113000.tif 000009
【図８】
2006113000.tif 000010
【図９】
2006113000.tif 000011
【図１０】
2006113000.tif 000012
【図１１】
2006113000.tif 000013
【図１２】
2006113000.tif 000014
【図１３】
2006113000.tif 000015
【図１４】
2006113000.tif 000016
【図１５】
2006113000.tif 000017
【図１６】
2006113000.tif 000018
【図１７】
2006113000.tif 000019
【図１８】
2006113000.tif 000020
【図１９】
2006113000.tif 000021
【図２０】
2006113000.tif 000022
【図２１】
2006113000.tif 000023
【図２２】
2006113000.tif 000024